(57)【要約】【課題】小さな操作力で操作することができ、演奏者の指への負担を極力軽減するとともに、外観をすっきりさせることができるようにした鍵盤楽器演奏用椅子を提供する。【解決手段】脚部２、脚部２上に設置される座面部３、座面部３を昇降自在に支持し任意の高さ位置に保持する高さ調節装置４とによって鍵盤楽器演奏用椅子１を構成する。脚部２を４本の脚６と、隣り合う脚６の上端部を互いに連結する４枚の幕板７と、前後方向に隣り合う２本の脚６の下端部をそれぞれ連結する２本の脚繋ぎ８とで枠体に形成する。高さ調節装置４を１つのガススプリング装置１５と３本の支持バー１６とで構成し、ガススプリング装置１５を１本の脚６の内部に組込み、３本の支持バー１６を残り３本の脚６にリニアガイド１８を介して進退自在に組込む。【選択図】　　　　図１
2004121463.tif 000002
【特許請求の範囲】
【請求項１】
幕板によって互いに連結された４本の脚を有する脚部と、この脚部上に設置される座面部と、この座面部を昇降自在に支持し任意の高さ位置に保持する高さ調節装置とを前記脚に設けたことを特徴とする鍵盤楽器演奏用椅子。
【請求項２】
幕板によって互いに連結された４本の脚を有する脚部と、この脚部の上に高さ調整自在に設置された座面部とを備えた鍵盤楽器演奏用椅子において、
前記脚部上に設置され前記座面部を昇降自在に支持するパンタグラフ機構と、前記幕板によって囲まれた空間内に水平に設置され前記パンタグラフ機構を動作させる高さ調節装置とを備えたことを特徴とする鍵盤楽器演奏用椅子。
【請求項３】
請求項１または２記載の鍵盤楽器演奏用椅子において、
高さ調節装置は少なくとも１つのガススプリング装置を備えていることを特徴とする鍵盤楽器演奏用椅子。
【発明の詳細な説明】
【０００１】
【発明の属する技術分野】
本発明は、ピアノ、キーボードなどの鍵盤楽器を演奏する際に用いて好適な鍵盤楽器演奏用椅子に関する。
【０００２】
【従来の技術】
ピアノなどの鍵盤楽器を演奏する際に用いられる椅子は、その良し悪しによって演奏自体に大きな影響を及ぼすことから、一般の事務用椅子と異なり、▲１▼座面が水平で安定性に優れ、脚部や座面部ががたついたりしないものであること、▲２▼演奏者の正面演奏姿勢において、腕の往復運動、脚のペダル操作を妨げないものであること、▲３▼演奏者の座高に合わせて座面部の高低調節を容易に行えるものであること、さらには▲４▼鍵盤を弾くべき指に過度な負担を与えないように精神的な安定感が得られ演奏に集中できるものであることなどが要求される。このため、従来の鍵盤楽器演奏用椅子は、４本の脚を備えた脚部に座面部を高さ調節可能に設置したものが最も一般的で、場合によってはアームレストや背もたれを備えない（腕や肘の動きの妨げになるためあっても持ち運びや位置を変えるときの把持部として使用するのみ）、横に長いベンチ式のものも用いられる。
【０００３】
このような鍵盤楽器演奏用椅子は、従来から種々提案されており、その一例として昇降装置によって座板を昇降自在に支持し、昇降操作装置によって前記昇降装置を上下動させて座板を所望の高さ位置に保持するようにした高低自在椅子が知られている（特許文献１参照）。この高低自在椅子は背もたれを備えたタイプの椅子で、座板の昇降装置をＸ字状に交叉する一対のリンク機構によって構成し、昇降操作装置を座板側に設けたスライドキーと、後脚に形成され前記スライドキーが係合するキーホールと、スライドキーをキーホールから離脱させる操作レバーと、スライドキーをキーホールに係合する方向に付勢するばねとで構成している。そして、操作レバーを操作してスライドキーをキーホールから離脱させることにより、座板のロック状態を解除して座板の高さを調節する。
【０００４】
また、座板をガススプリング装置からなる昇降装置によって昇降させるように構成した高低自在椅子も知られている（特許文献２参照）。この高低自在椅子は、圧縮空気を密閉して脚部上に設置された空気室と、この空気室に対して上下動自在に設けられ上端が座板の下面に固定されたピストンと、前記空気室から外方に水平に延び前記ピストンをロックするロック位置とピストンのロックを解除するロック解除位置との間で移動自在なロックレバーと、このロックレバーを前記ロック位置とロック解除位置との間で移動させるハンドルとを備えている。そして、ハンドル操作によって前記ロックレバーを動作させてロック解除位置に移動させてピストンのロック状態を解除する。この状態で演奏者が座板に腰掛けると体重でピストンが下がり、腰を浮かせると圧縮空気の力によってピストンが上昇する。ハンドルを元の位置に戻してロックレバーを再びロック位置にロックさせると、ピストンが停止して座板を調整した高さ位置に保持するように構成されている。
【０００５】
【特許文献１】
特開平７−２４６１２４号公報（段落「００１６」〜「００２９」の記載、図１〜図４）
【特許文献２】
特開平１０−１８７１４２号公報（段落「００１３」〜「００１８」の記載、図１〜図３）
【０００６】
【発明が解決しようとする課題】
しかしながら、上記した特許文献１に記載されている高低自在椅子は、演奏者が手で操作レバーを操作してスライドキーをキーホールから離脱させた後、レバーを上下させて座板の高さを調整する必要がある。このため、その操作が煩わしく、特に座板のロック状態を解除するとき、スライドキーを付勢しているばねに抗して操作レバーを押し下げなければならないために、大きな操作力を必要とし、子供などでは調節できないという問題があった。
【０００７】
上記特許文献２に記載されている高低自在椅子もピストンのロック状態を解除するとき、ハンドルによってロックレバーを回動させなければならないため、上記した特許文献１と同様に大きさ操作力を必要とするという問題があった（特に演奏者が座板に座った状態で操作するとき）。
【０００８】
いずれにしても鍵盤楽器の演奏は鍵タッチ感が演奏に大きく影響する。したがって、演奏前に演奏者が大きな操作力をもって操作レバーやハンドルを操作しなければならないことは、演奏に必要な筋肉に大きな運動をさせることになり肉体的にも精神的にも敬遠される。
【０００９】
さらに、従来のこの種の椅子は、外部から昇降装置が視認できるため、外観が重苦しく見映えがよくないという問題もあった。
【００１０】
本発明は上記した従来の問題を解決するためになされたもので、その目的とするところは、小さな操作力で操作することができ、演奏者の指への負担を極力軽減するとともに、外観をすっきりさせることができるようにした鍵盤楽器演奏用椅子を提供することにある。
【００１１】
【課題を解決するための手段】
上記目的を達成するために第１の発明は、幕板によって互いに連結された４本の脚を有する脚部と、この脚部上に設置される座面部と、この座面部を昇降自在に支持し任意の高さ位置に保持する高さ調節装置とを前記脚に設けたものである。
このような構造においては、脚が高さ調節装置の取付部を構成し、脚内部を収納部として高さ調節装置を収納することも可能であり、その場合は外部から視認し難くなる。高さ調節装置の数は脚の数と同じ４つに限らず、少なくとも１つであればよい。脚より少ない場合は、ガイドバーを残りの脚に進退自在に収納して高さ調節装置とともに座面部を支持するようにすれば、安定した状態で支持することができる。
【００１２】
第２の発明は、幕板によって互いに連結された４本の脚を有する脚部と、この脚部の上に高さ調整自在に設置された座面部とを備えた鍵盤楽器演奏用椅子において、前記脚部上に設置され前記座面部を昇降自在に支持するパンタグラフ機構と、前記幕板によって囲まれた空間内に水平に設置され前記パンタグラフ機構を動作させる高さ調節装置とを備えたものである。
このような構造においては、パンタグラフ機構が座面部を安定した状態で支持し水平な状態を保ったまま昇降させる。高さ調節装置は幕板によって囲まれた空間内に水平に配設されているので、幕板の陰になり外部から視認され難い。
【００１３】
第３の発明は、上記第１または第２の発明において、高さ調節装置が少なくとも１つのガススプリング装置を備えているものである。
したがって、レバーやボタン操作によってガススプリング装置内部の弁機構を開くとピストンロッドのロック状態が解除され、座面部の高さを調節することができる。レバーやボタン操作は大きな操作力を必要とせず軽快に操作でき、手の負担が少ない。
【００１４】
【発明の実施の形態】
以下、本発明を図面に示す実施の形態に基づいて詳細に説明する。
図１は本発明に係る鍵盤楽器演奏用椅子の一実施の形態を示す斜視図で、２は脚部、３は脚部２上に設置される座面部、４は座面部３を昇降自在に支持し任意の高さ位置に保持する高さ調節装置で、これらによって背もたれ、アームレストを備えない横長ベンチ式の鍵盤楽器演奏用椅子１を構成している。
【００１５】
前記脚部２は、各コーナー部にそれぞれ位置する４本の脚６と、隣り合う脚６の上端部を互いに連結する４枚の幕板７と、前後方向に隣り合う２本の脚６の下端部をそれぞれ連結する２本の脚繋ぎ８とで横長矩形状の枠体に形成されている。脚６は、水平断面形状が四角形で、下端が閉塞し、上端が開放する中空体に形成されている。
【００１６】
前記座部３は、座板１０とパッド部１１とで構成されている。座板１０は、前記４本の脚６を結ぶ輪郭形状と略等しい大きさの矩形に形成されている。
【００１７】
前記高さ調節装置４は、１つのガススプリング装置１５と、３本の支持バー１６とで構成されている。ガススプリング装置１５は、一般に椅子の高さ調整用等に広く用いられる従来周知のものであって（例えば、特開平５−２９６２７４号公報、特開平１１−３１１２８３号公報等）、圧縮空気が封入されたシリンダ本体１５Ａと、このシリンダ本体１５Ａの上端開口部から上方に進退自在に突出し、前記圧縮空気によって常時上方に付勢されているピストンロッド１５Ｂと、前記シリンダ本体１５Ａ内のバルブを開閉する操作釦１５Ｃ等からなり、シリンダ本体１５Ａが４本のうちのいずれか１つの脚６の空洞内にピストンロッド１５Ｂを上に向けて収納されている。
【００１８】
前記ピストンロッド１５Ｂは、前記シリンダ本体１５Ａに伸縮自在に嵌挿されており、上端により前記座面部３の１つの隅角部下面を支持している。前記操作釦１５Ｃは、前記座板１０の背面に取付けられ、ワイヤ１７によって前記シリンダ本体１５Ａ内のバルブに接続されている。したがって、操作釦１５Ｃを手で操作してバルブを開くと、シリンダ本体１５Ａ内に設けられている２つのガス室の通路を互いに連通し、これによりピストンロッド１５Ｂのロック状態が解除され昇降可能な状態になり、座面部３の高さが調節されるように構成されている。例えば、座面部３の高さを高くする場合は、操作釦１５Ｃの操作によってバルブを開いてピストンロッド１５Ｂのロック状態を解除した後、座板部３から腰を浮かせて座板部３に掛かる体重による負荷を取り除くかまたは軽減すると、圧縮空気の圧力によってピストンロッド１５Ｂが伸張してシリンダ本体１５Ａから突出し座面部３を押し上げる。反対に座面部３の高さを低くする場合は、演奏者が座面部３を腰または手で押し下げてピストンロッド１５Ｂを短縮させればよい。なお、ガススプリング装置１５自体は市販のものであるから、その詳細な構造については図示および説明を省略する。なお、高さ調節装置は油圧によるものであってもよい。
【００１９】
前記各支持バー１６は、残り３本の脚６の空洞内にリニアガイド１８を介して上下動自在に収納されており、上端によって座面部３の残り３つの隅角部下面を支持している。また、前記指示バー１６が伸縮自在に組み込まれている３本の脚７の外側面には、座面部３の傾きを防止するために支持バー１６をロックするロックレバー２０がそれぞれ取付けられている。支持バー１６は、通常ロックレバー２０によってリニアガイド１８に押し付けられることによりロックされており、座面部３の高さを調節するときロックレバー２０の操作によってロック状態から解放される。
【００２０】
このような構造からなる鍵盤楽器演奏用椅子１において、座面部３の高さを調節する時は、予めロックレバー２０を操作して支持バー１６のロック状態を解除しリニアガイド１８に対して上下動自在にする。次に、操作釦１５Ｃを手で操作してガススプリング装置１５のロック状態を解除する。ガススプリング装置１５のロック状態を解除すると、ピストンロッド１５Ｂはシリンダ本体１５Ａに対して伸縮自在となるため、圧縮空気の圧力によって伸張する。このとき、３本の支持バー１６もピストンロッド１５Ｂと一体に伸張して座面部３を上昇させる。一方、座面部３の高さを低くするときは、圧縮空気の圧力に抗して座面部３を手または腰で押し下げて所望の高さ位置に下降させればよい。
【００２１】
座面部３を所望の高さ位置に調節した後は、操作釦１５Ｃを再度操作してガススプリング装置１５をロックする。さらに、各ロックレバー２０を操作して支持バー１６をその高さ位置にロックし、座面部３の高さ調節を終了する。
【００２２】
このような構造からなる鍵盤楽器演奏用椅子１によれば、ガススプリング装置１５のシリンダ本体１５Ａとリニアガイド１８を脚６の空洞内にそれぞれ収納しているので、４本の脚６によって囲まれた空間内を高さ調節装置４の収納空間とする必要がなく、椅子１自体の外観をすっきりさせることができる。また、操作釦１５Ｃは小さな操作力によって軽快に操作することができるので、演奏者の肉体的、精神的な負担を軽減することができる。また、ガススプリング装置１５を用いているので、座面部３の高さ調節も容易である。
【００２３】
ここで、本実施の形態においては、１つのガススプリング装置１５と３本の支持バー１６を用いて座面部３を昇降自在に支持するように構成した例を示したが、これに限らずガススプリング装置１５を複数個、例えば２つ、３つまたは４つ用いてもよい。２つ用いるときは、対角線上の２つの脚６内にそれぞれ組み込めばよい。
【００２４】
図２は本発明の他の実施の形態を示す側面図である。
この実施の形態は請求項２に記載の発明に関するもので、脚部２と、座面部３と、座面部３を昇降自在に支持する支持機構としてのパンタグラフ機構３０と、パンタグラフ機構３０を動作させ座面部３を任意の高さ位置に保持するガススプリング装置１５とで背もたれ、アームレストを備えない鍵盤楽器演奏用椅子３３を構成している。脚部２、座面部３およびガススプリング装置１５は上記した実施の形態と同一であるから、その説明を適宜省略する。
【００２５】
前記パンタグラフ機構３０は、椅子３３の前後方向に延在し左右方向において互いに対向する２つの幕板７上にそれぞれ配設された同一構造からなる２組のリンク機構３４によって構成されている。各リンク機構３４は、長手方向中央においてＸ字状に交叉し、その交差部分が連結棒３５によって回動自在に連結された２本のリンク３４Ａ，３４Ｂによって構成されている。一方のリンク３４Ａは、前端が座板１０の下面前端部に設けたガイド部材３６により前後方向に移動自在に保持され、後端が前記幕板７の上面後端部に固定したブラケット３７にピン３８を介して回動自在に枢支されている。他方のリンク３４Ｂは、前端が前記幕板７の上面前端部に設けたガイド部材３９により前後方向に移動自在に保持され、後端が前記座板１０の下面後端部に固定したブラケット４１にピン４２を介して回動自在に枢支されている。
【００２６】
前記ガイド部材３６は、側面視クランク型で、前後端部がそれぞれ固定部を形成して前記座板３６の下面に固定されることにより、前記座板３６下面との間にガイド溝４３を形成している。そして、このガイド溝４３には前記リンク３４Ａの前端に設けたローラ４４が転動自在に挿入されている。
【００２７】
前記ガイド部材３９は、前記ガイド部材３６と同一形状で、前後端部がそれぞれ固定部を形成して前記幕板７の上面に固定されることにより、前記幕板７上面との間にガイド溝４５を形成している。そして、このガイド溝４５には前記リンク３４Ｂの前端に設けたローラ４６が転動自在に挿入されている。
【００２８】
前記連結棒３５は、一組のリンク機構３４のリンク３４Ａ，３４Ｂを連結するだけでなく、互いに対向する２組のリンク機構３４を連結している。
【００２９】
前記ガススプリング装置１５は、４つの幕板７によって囲まれた空間内に、リンク３４Ａ，３４Ｂの長手方向で、かつピストンロッド１５Ｂがシリンダ本体１５Ａより後方に位置するように水平に配設され、ピストンロッド１５Ｂの外端に２組のリンク機構３４のリンク３４Ａの前端が連結板４７を介して連結されている。ピストンロッド１５Ｂが後方に最大長さ伸張した状態において、各リンク３４Ａ，３４Ｂのローラ４４，４６は、ガイド溝４３，４５の後端側にそれぞれ位置している。この状態において、ピストンロッド１５Ｂは、ロックされており、座面部３をその高さ位置に保持している。
【００３０】
座面部３の高さを低く調節するときは、操作釦１５Ｃを操作してガススプリング装置１５のロック状態を解除すればよい。ロック状態を解除すると、ピストンロッド１５Ｂは進退自在になるため座面部３の高さを調節することができる。すなわち、上記した実施の形態と同様に演奏者が手または腰によって座面部３を押し下げればよい。これにより、パンタグラフ機構３０が折り畳まれてローラ４４，４６がガイド溝４３，４５に沿って前方へ移動し、連結板４７によってピストンロッド１５Ｂをシリンダ本体１５Ａ内に押し込む。そして、座面部３を所望の高さ位置まで押し下げた後、操作釦１５Ｃを操作してガススプリング装置１５を再びロックすればよい。
【００３１】
このような構造において、ガススプリング装置１５は幕板７によって囲まれた空間内に水平に設置されているので、幕板７の陰となり外部から視認され難く、上記した実施の形態と同様に椅子の外観をすっきりさせることができる。この場合、脚部２の上面を覆い板によって覆うようにすれば、ガススプリング装置１５が脚部２と座面部３との隙間から視認されることがなく、一層外観をすっきりさせることができる。また、パンタグラフ機構３４は、座面部３を平衡かつ安定した状態で支持することができる。
【００３２】
【発明の効果】
以上説明したように本発明に係る鍵盤楽器演奏用椅子によれば、座面部の高さ調節が容易で、高さ調節装置が外部から視認され難く外観をすっきりさせることができる。また、特に座面部の高さ調節装置としてガススプリング装置を用いているので、大きな操作力を必要とせず、演奏者の肉体的、精神的負担を軽減することができる。
【図面の簡単な説明】
【図１】本発明に係る鍵盤楽器演奏用椅子の一に実施の形態を示す斜視図である。
【図２】本発明の他の実施の形態を示す側面図である。
【符号の説明】
１…鍵盤楽器演奏用椅子、２…脚部、３…座面部、４…高さ調節装置、６…脚、７…幕板、１５…ガススプリング装置、１５Ａ…シリンダ本体、１５Ｂ…ピストンロッド、１５Ｃ…操作釦、１６…支持バー、１８…リニアガイド、３０…パンタグラフ機構、３４…リンク機構、３４Ａ，３４Ｂ…リンク、４７…連結板。
【図１】
2004121463.tif 000003
【図２】
2004121463.tif 000004